【誤訳訂正書】
【提出日】平成22年12月17日(2010.12.17)
【誤訳訂正１】
【訂正対象書類名】明細書
【訂正対象項目名】特許請求の範囲
【訂正方法】変更
【訂正の内容】
【特許請求の範囲】
【請求項１】  下記式
【化１】
2002541245.tif 000001
（上式中、Ｗは、Ｏ、ＣＨ2、ＣＨ2ＣＨ2、ＯＣＨ2又はＣＨ2ＣＨ2ＣＨ2であり；
Ｒ1は、ピロリジン−１−イル；
３−オキソピペリジン−１−イル；
４−オキソピペリジン−１−イル；又は
ＮＲ4Ｒ5（ここでのＲ4及びＲ5は、独立的に、Ｈ、ＯＨ、Ｃ３〜Ｃ１１アルケニル、Ｃ６〜Ｃ１０アリール、Ｃ３〜１１アルキニル、ジヒドロキシＣ３〜１０アルキル、ヒドロキシＣ２〜１０アルキル、Ｃ２〜６アルコキシ、Ｃ６〜１０アリールオキシ、Ｃ１〜６アルキルチオＣ２〜６アルキル、（Ｃ１〜６アルキル）ｊ（Ｃ３〜９シクロアルキル）（ＣＨ2）ｑ（ここでのｊは０又は１であり、ｑは０〜６である）、（Ｃ１〜６アルキル）ｊ（Ｃ６〜１０アリール）（ＣＨ2）ｑ（ここでのｊは０又は１であり、ｑは０〜６である）、（Ｃ１〜６アルキル）ｊ（Ｃ４〜９ヘテロシクロアルキル）（ＣＨ2）ｑ（ここでのｊ及びｑは上記の通りであり、ヘテロ環は、Ｏ、Ｓ又はＮである１つのヘテロ原子を含む）、オキソ（Ｃ３〜８シクロアルキル）（ＣＨ2）ｑ（ここでのｑは０〜６である）、ヒドロキシ（ＣＨ2）ｐ（Ｃ３〜８シクロアルキル）（ＣＨ2）ｑ（ここでのｐ及びｑは独立的に０〜６である）、又はＣ１〜８アルキルであり、しかし、ただし、Ｒ4とＲ5のいずれか一方が、Ｈ、ＯＨ又はＣ１〜６アルキルであるとき、Ｒ4とＲ5の他方は、Ｈ、ＯＨ又はＣ１〜６アルキルではなく、Ｒ2がＨでＷがＯであるとき、Ｒ4とＲ5のいずれも炭素数１〜６のアルキルではなく、
Ｒ4とＲ5のＣ及びＮ原子は、非置換又はＯＨ；ハロゲン；チオ−オキソ；オキソ；Ｃ１〜６アルキル；Ｃ２〜７アルケニル；Ｃ２〜７アルキニル；Ｃ６〜１０アリール；Ｃ６〜１０ヘテロアリール；ヒドロキシＣ１〜６アルキル；ジヒドロキシＣ１〜６アルキル；Ｃ１〜６アルコキシ；Ｃ１〜６アリールオキシ；Ｃ６〜１０ヘテロアリールオキシ；ヒドロキシＣ１〜６アルコキシ；Ｃ１〜６アルコキシＣ１〜６アルキル；Ｃ６〜１０アリールオキシＣ１〜６アルキル；Ｃ６〜１０ヘテロアリールオキシＣ１〜６アルキル；Ｃ３〜８シクロアルキル；Ｃ６〜１０アリールＣ１〜６アルキル；Ｃ６〜１０ヘテロアリールＣ１〜６アルキル；Ｃ６〜１０アリールＣ１〜６アルコキシ；Ｃ６〜１０ヘテロアリールＣ１〜６アルコキシ；Ｃ１〜６アルキルカルボニルＣ１〜６アルキル；Ｃ６〜１０アリールカルボニルＣ１〜６アルキル；カルボキシＣ１〜６アルキル；Ｃ１〜６アルコキシカルボニルＣ１〜６アルキル；Ｃ６〜１０アリールオキシカルボニルＣ１〜６アルキル；Ｃ６〜１０アリールＣ１〜６アルキルオキシカルボニルＣ１〜６アルキル；シアノＣ１〜６アルキル；Ｃ１〜６アルキルチオＣ１〜６アルキル；Ｃ１〜６アルキルスルフィニルＣ１〜６アルキル；Ｃ１〜６アルキルスルホニルＣ１〜６アルキル；Ｃ６〜１０アリールチオＣ１〜６アルキル；Ｃ６〜１０アリールスルフィニルＣ１〜６アルキル；Ｃ６〜１０アリールスルホニルＣ１〜６アルキル；Ｃ６〜１０アリールＣ１〜６アルキルチオＣ１〜６アルキル；Ｃ６〜１０アリールＣ１〜６アルキルスルフィニルＣ１〜６アルキル；Ｃ６〜１０アリールＣ１〜６アルキルスルホニルＣ１〜６アルキル；Ｃ６〜１０ヘテロアリールチオＣ１〜６アルキル；Ｃ６〜１０ヘテロアリールスルフィニルＣ１〜６アルキル；Ｃ６〜１０ヘテロアリールスルホニルＣ１〜６アルキル；アジリジノ；アゼチジノ；ピロリジノ；ピペリジノ；ヘプタメチレンイミノ；ホモピペラジノ；Ｎ−置換ホモピペラジノ（ここでの置換基は、Ｃ１〜６アルキル、Ｃ６〜１０アリール、Ｃ６〜１０アリールＣ１〜６アルキル又はＣ６〜１０へテロアリールであり得る）；ピペラジノ；Ｎ−置換ピペラジノ（ここでの置換基は、Ｃ１〜６アルキル、Ｃ６〜１０アリール、Ｃ６〜１０アリールＣ１〜６アルキル又はＣ６〜１０ヘテロアリールであり得る）；モルホリノ；ホモモルホリノ；チオモルホリノ；アミノＣ１〜６アルキル；Ｃ１〜６アルキルアミノＣ１〜６アルキル；ジ（Ｃ１〜６アルキル）アミノＣ１〜６アルキル（ここでのアルキル基は、同じでも異なっていてもよい）；Ｃ６〜１０アリールアミノＣ１〜６アルキル；Ｃ６〜１０アリールＣ１〜６アルキルアミノＣ１〜６アルキル；ジ（Ｃ６〜１０アリール）アミノＣ１〜６アルキル（ここでのアリール基は、同じでも異なっていてもよい）；ジ（Ｃ６〜１０アリールＣ１〜６アルキル）アミノＣ１〜６アルキル（ここでのアリールアルキル基は、同じでも異なっていてもよい）；Ｒ12Ｃ（Ｏ）Ｃ１〜６アルキル（ここでのＲ12は、アジリジノ、アゼチジノ、ピロリジノ、ピペリジノ、ヘプタメチレンイミノ、ピペラジノ、ホモピペラジノ、モルホリノ、ホモモルホリノ、又はチオモルホリノである）；Ｃ（Ｏ）Ｒ6；Ｃ（Ｏ）Ｃ（Ｏ）Ｒ6；Ｃ（Ｓ���Ｒ6；Ｓ（Ｏ）2Ｒ6；及びＣ（ＮＲ11）Ｒ6（ここでのＲ11は、水素、Ｃ１〜６アルキル又はＣ６〜１０アリールであり、Ｒ6は、Ｈ、Ｃ１〜６アルキル、Ｃ６〜１０アリール、Ｃ６〜１０アリールＣ１〜６アルキル又はＣ６〜１０ヘテロアリールである）からなる群から選択された１つ又はそれ以上の置換基で置換されていてもよい。）であり；
Ｒ2は、Ｈと、ＷがＣＨ2のときＲ2がＮＨ2であるとの条件でＮＨ2とからなる群から選択され；
Ｒ3は、Ｈであり；
Ｘは、非置換又はハロゲン；Ｃ１〜６アルキル；Ｃ２〜７アルケニル；Ｃ２〜７アルキニル；Ｃ６〜１０アリール；Ｃ６〜１０ヘテロアリール；ＯＲ；ＮＲ9Ｒ10（ここでのＲ9及びＲ10は、同じでも異なっていてもよく、Ｈ、Ｃ１〜６アルキル、Ｃ３〜８シクロアルキル、Ｃ６〜１０アリール、又はＣ６〜１０アリールＣ１〜６アルキルである）；ＮＲＯＲ；Ｃ（Ｏ）ＮＲ9Ｒ10；Ｃ（Ｏ）ＯＲ；Ｃ（Ｏ）Ｒ；ＮＲＣ（Ｏ）ＮＲ9Ｒ10；ＮＲＣ（Ｏ）Ｒ；ＮＲＣ（Ｏ）ＯＲ；ＣＲ（ＯＨ）Ｒ；ＯＣ（Ｏ）Ｒ；Ｓ（Ｏ）nＲ（ここでのＲはＨ以外であり、ｎは０、１又は２である）；ＮＲＳ（Ｏ）mＲ（ここでのＲは、Ｈ以外であり、ｍは１又は２である）；Ｓ（Ｏ）2ＮＲ9Ｒ10；ＮＯ2；ＣＮ；ＣＦ3；ＯＣＦ3からなる群から選択された１以上の置換基Ｙで置換されたＣ６〜１０アリール環又はＣ６〜１０ヘテロアリール環であり；
Ｒは、Ｈ、Ｃ１〜６アルキル、Ｃ３〜８シクロアルキル、Ｃ６〜１０アリール又はＣ６〜１０アリールＣ１〜６アルキルである。）
で示される化合物又はその医薬的に許容される塩もしくは溶媒和物。
【請求項２】  上記Ｗは、Ｏ又はＣＨ2であり、上記Ｘは、置換フェニルである請求項１に記載の化合物又はその医薬的に許容される塩もしくは溶媒和物。
【請求項３】  上記Ｒ1は、４−オキソシクロヘキシルアミノ、トランス−４−ヒドロキシシクロヘキシルアミノ、４−ヒドロキシアニリノ、又は４−（２−ヒドロキシエチルアミノ）であり；Ｗは、酸素であり；Ｘは、非置換フェニル又は、４−クロロ、２，４ジクロロ、４−ブロモ、２−フルオロ−４−クロロ、２−クロロ−４−フルオロ、２−メチル−４−クロロ、４−メチル、又は４−エチルで置換されたフェニルであり；そして、上記Ｒ2は、ＮＨ２である、請求項１に記載の化合物又はその医薬的に許容される塩もしくは溶媒和物。
【請求項４】  下記式
【化２】
2002541245.tif 000002
（上式中、ａ及びｂは、０又は１であり、ａ＋ｂ＝１であり；ｍは０〜２であり；Ｒ2はａが１のときＲ2がＮＨ2であるとの条件でＨ又はＮＨ2であり；Ｒ13は、０、１又は２つのヒドロキシル基で置換されたフェニル又はシクロヘキシルであり；そして、Ｙは、ハロゲン；Ｃ１〜６アルキル；Ｃ２〜７アルケニル；Ｃ２〜７アルキニル；Ｃ６〜１０アリール；Ｃ６〜１０ヘテロアリール；ＯＲ；ＮＲ9Ｒ10（ここでのＲ9及びＲ10は、同じでも異なっていてもよく、Ｈ、Ｃ１〜６アルキル、Ｃ３〜８シクロアルキル、Ｃ６〜１０アリール、又はＣ６〜１０アリールＣ１〜６アルキルである）；ＮＲＯＲ；Ｃ（Ｏ）ＮＲ9Ｒ10；Ｃ（Ｏ）ＯＲ；Ｃ（Ｏ）Ｒ；ＮＲＣ（Ｏ）ＮＲ9Ｒ10；ＮＲＣ（Ｏ）Ｒ；ＮＲＣ（Ｏ）ＯＲ；ＣＲ（ＯＨ）Ｒ；ＯＣ（Ｏ）Ｒ；Ｓ（Ｏ）nＲ（ここでのＲは、Ｈ以外であり、ｎは、０、１又は２である）；ＮＲＳ（Ｏ）mＲ（ここでのＲは、Ｈ以外であり、ｍは１又は２である）；Ｓ（Ｏ）2ＮＲ9Ｒ10；ＮＯ2；ＣＮ；ＣＦ3；ＯＣＦ3からなる群から選択される）
で示される化合物又はその医薬的に許容される塩もしくは溶媒和物。
【請求項５】  下記式
【化３】
2002541245.tif 000003
（上式中、ａ及びｂは、０又は１であり、ａ＋ｂ＝１であり；ｍは０〜２であり；Ｒ2はＨ又はＮＨ2であり；Ｑは、非置換又は１以上のＯＨで置換されたＣ２〜１０アルキレンであり；そして、Ｙは、ハロゲン；Ｃ１〜６アルキル；Ｃ２〜７アルケニル；Ｃ２〜７アルキニル；Ｃ６〜１０アリール；Ｃ６〜１０ヘテロアリール；ＯＲ；ＮＲ9Ｒ10（ここでのＲ9及びＲ10は、同じでも異なっていてもよく、Ｈ、Ｃ１〜６アルキル、Ｃ３〜８シクロアルキル、Ｃ６〜１０アリール、又はＣ６〜１０アリールＣ１〜６アルキルである）；ＮＲＯＲ；Ｃ（Ｏ）ＮＲ9Ｒ10；Ｃ（Ｏ）ＯＲ；Ｃ（Ｏ）Ｒ；ＮＲＣ（Ｏ）ＮＲ9Ｒ10；ＮＲＣ（Ｏ）Ｒ；ＮＲＣ（Ｏ）ＯＲ；ＣＲ（ＯＨ）Ｒ；ＯＣ（Ｏ）Ｒ；Ｓ（Ｏ）nＲ（ここでのＲはＨ以外であり、ｎは０、１又は２である）；ＮＲＳ（Ｏ）mＲ（ここでのＲは、Ｈ以外であり、ｍは１又は２である）；Ｓ（Ｏ）2ＮＲ9Ｒ10；ＮＯ2；ＣＮ；ＣＦ3；ＯＣＦ3からなる群から選択される）
で示される化合物又はその医薬的に許容される塩もしくは溶媒和物。
【請求項６】  下記式
【化４】
2002541245.tif 000004
（上式中、ａ及びｂは、０又は１であり、ａ＋ｂ＝１であり；ｍは０〜２であり；ｎは０〜３であり；Ｒ2は、Ｈ又はＮＨ2であり；そして、Ｙは、ハロゲン；Ｃ１〜６アルキル；Ｃ２〜７アルケニル；Ｃ２〜７アルキニル；Ｃ６〜１０アリール；Ｃ６〜１０ヘテロアリール；ＯＲ；ＮＲ9Ｒ10（ここでのＲ9及びＲ10は、同じでも異なっていてもよく、Ｈ、Ｃ１〜６アルキル、Ｃ３〜８シクロアルキル、Ｃ６〜１０アリール、又はＣ６〜１０アリールＣ１〜６アルキルである）；ＮＲＯＲ；Ｃ（Ｏ）ＮＲ9Ｒ10；Ｃ（Ｏ）ＯＲ；Ｃ（Ｏ）Ｒ；ＮＲＣ（Ｏ）ＮＲ9Ｒ10；ＮＲＣ（Ｏ）Ｒ；ＮＲＣ（Ｏ）ＯＲ；ＣＲ（ＯＨ）Ｒ；ＯＣ（Ｏ）Ｒ；Ｓ（Ｏ）nＲ（ここでのＲはＨ以外であり、ｎは０、１又は２である）；ＮＲＳ（Ｏ）mＲ（ここでのＲは、Ｈ以外であり、ｍは１又は２である）；Ｓ（Ｏ）2ＮＲ9Ｒ10；ＮＯ2；ＣＮ；ＣＦ3；ＯＣＦ3からなる群から選択される）
で示される化合物又はその医薬的に許容される塩もしくは溶媒和物。
【請求項７】  ２−アミノ−４−（４−オキソシクロヘキシルアミノ）−５−（４−クロロフェノキシ）ピリミジン、
２−アミノ−４−（トランス−４−ヒドロキシシクロヘキシルアミノ）−５−（４−クロロフェノキシ）ピリミジン、
２−アミノ−４−（トランス−４−ヒドロキシシクロヘキシルアミノ）−５−（４−エチルフェノキシ）ピリミジン、
２−アミノ−４−（４−ヒドロキシアニリノ）−５−（４−クロロフェノキシ）ピリミジン、
２−アミノ−４−（２−ヒドロキシエチルアミノ）−５−（４−クロロフェノキシ）ピリミジン、
２−アミノ−５−（４−クロロフェノキシ）−４−（シクロヘキシルアミノ）ピリミジン、
２−アミノ−５−（４−クロロフェノキシ）−４−（トランス−２−ヒドロキシシクロヘキシルアミノ）ピリミジン、
２−アミノ−５−（４−クロロフェノキシ）−４−（２−ヒドロキシ−１−メチル（エチルアミノ））ピリミジン、
２−アミノ−５−（４−クロロフェノキシ）−４−（１，１−ジメチル−２−ヒドロキシ（エチルアミノ））ピリミジン、
２−アミノ−５−（４−クロロフェノキシ）−４−（ビス（２−ヒドロキシエチル）アミノ）ピリミジン、
５−（４−エチルフェノキシ）−４−（トランス−４−ヒドロキシシクロヘキシルアミノ）ピリミジン、
２−アミノ−５−（２，４−ジクロロフェノキシ）−４−（トランス−４−ヒドロキシシクロヘキシルアミノ）ピリミジン、
２−アミノ−５−（４−クロロベンジル）−４−（トランス−４−ヒドロキシシクロヘキシルアミノ）ピリミジン、
２−アミノ−５−（４−クロロフェノキシ）−４−（４−ヒドロキシ−２−メチルアニリノ）ピリミジン、
４−（４−アセトキシアニリノ）−２−アミノ−５−（４−クロロフェノキシ）ピリミジン、
２−アミノ−５−（４−クロロフェノキシ）−４−（２−（２−プロピオニルオキシエトキシ）エチルアミノ）ピリミジン、
２−アミノ−５−（４−クロロフェノキシ）−４−（４−ヒドロキシ−２−クロロアニリノ）ピリミジン、
２−アミノ−５−（４−クロロフェノキシ）−４−（４−ヒドロキシ−３−クロロアニリノ）ピリミジン、
２−アミノ−５−（４−クロロフェノキシ）−４−（ヒドロキシペンチルアミノ）ピリミジン、
２−アミノ−５−（４−クロロフェノキシ）−４−（２−ヒドロキシプロピルアミノ）ピリミジン、及び
２−アミノ−５−（４−クロロフェノキシ）−４−（１−エチル−２−ヒドロキシエチルアミノ）ピリミジン、
からなる群から選択される化合物又はその医薬的に許容される塩もしくは溶媒和物。
【請求項８】  請求項１に記載の化合物又はその医薬的に許容される塩もしくは溶媒和物と、その医薬的に許容される担体とを含む医薬組成物。
【請求項９】  請求項７に記載の化合物又はその医薬的に許容される塩もしくは溶媒和物と、その医薬的に許容される担体とを含む医薬組成物。
【請求項１０】  請求項１又は請求項７に記載の化合物又はその医薬的に許容される塩もしくは溶媒和物を含んでなる、中枢又は末梢神経系の神経変性疾患を有する哺乳動物を処置するための治療剤。
【請求項１１】  上記疾患が、アルツハイマー病である請求項１０に記載の治療剤。
【請求項１２】  上記疾患が、末梢神経障害である請求項１０に記載の治療剤。
【請求項１３】  上記疾患が、老年痴呆である請求項１０に記載の治療剤。
【誤訳訂正２】
【訂正対象書類名】明細書
【訂正対象項目名】０００７
【訂正方法】変更
【訂正の内容】
【０００７】
（発明の詳細な説明）
本発明によると、式Ｉ
【化５】
2002541245.tif 000005
［上式中、Ｗは、Ｏ、ＣＨ2、ＣＨ2ＣＨ2、ＯＣＨ2又はＣＨ2ＣＨ2ＣＨ2であり；
Ｒ1は、ピロリジン−１−イル；
３−オキソピペリジン−１−イル；
４−オキソピペリジン−１−イル；又は
ＮＲ4Ｒ5（ここでのＲ4及びＲ5は、独立的に、Ｈ、ＯＨ、Ｃ３〜Ｃ１１アルケニル、Ｃ６〜Ｃ１０アリール、Ｃ３〜１１アルキニル、ジヒドロキシＣ３〜１０アルキル、ヒドロキシＣ２〜１０アルキル、Ｃ２〜６アルコキシ、Ｃ６〜１０アリールオキシ、Ｃ１〜６アルキルチオＣ２〜６アルキル、（Ｃ１〜６アルキル）ｊ（Ｃ３〜９シクロアルキル）（ＣＨ2）ｑ（ここでのｊは０又は１であり、ｑは０〜６である）、（Ｃ１〜６アルキル）ｊ（Ｃ６〜１０アリール）（ＣＨ2）ｑ（ここでのｊは０又は１であり、ｑは０〜６である）、（Ｃ１〜６アルキル）ｊ（Ｃ４〜９ヘテロシクロアルキル）（ＣＨ2）ｑ（ここでのｊ及びｑは上記の通りであり、ヘテロ環は、Ｏ、Ｓ又はＮである１つのヘテロ原子を含む）、オキソ（Ｃ３〜８シクロアルキル）（ＣＨ2）ｑ（ここでのｑは０〜６である）、ヒドロキシ（ＣＨ2）ｐ（Ｃ３〜８シクロアルキル）（ＣＨ2）ｑ（ここでのｐ及びｑは独立的に０〜６である）、又はＣ１〜８アルキルであり、しかし、ただし、Ｒ4及びＲ5のいずれか一方が、Ｈ、ＯＨ又はＣ１〜６アルキルであるとき、Ｒ4とＲ5の他方は、Ｈ、ＯＨ又はＣ１〜６アルキルではなく、Ｒ2がＨでＷがＯであるときＲ4及びＲ5のいずれもＣ１〜６アルキル基でなく、
Ｒ4及びＲ5のＣ及びＮ原子は、非置換又はＯＨ；ハロゲン；チオ（参考例）；チオ−オキソ；オキソ；Ｃ１〜６アルキル；Ｃ２〜７アルケニル；Ｃ２〜７アルキニル；Ｃ６〜１０アリール；Ｃ６〜１０ヘテロアリール；ヒドロキシＣ１〜６アルキル；ジヒドロキシＣ１〜６アルキル；Ｃ１〜６アルコキシ；Ｃ１〜６アリールオキシ；Ｃ６〜１０ヘテロアリールオキシ；ヒドロキシＣ１〜６アルコキシ；Ｃ１〜６アルコキシＣ１〜６アルキル；Ｃ６〜１０アリールオキシＣ１〜６アルキル；Ｃ６〜１０ヘテロアリールオキシＣ１〜６アルキル；Ｃ３〜８シクロアルキル；Ｃ６〜１０アリールＣ１〜６アルキル；Ｃ６〜１０ヘテロアリールＣ１〜６アルキル；Ｃ６〜１０アリールＣ１〜６アルコキシ；Ｃ６〜１０ヘテロアリールＣ１〜６アルコキシ；Ｃ１〜６アルキルカルボニルＣ１〜６アルキル；Ｃ６〜１０アリールカルボニルＣ１〜６アルキル；カルボキシＣ１〜６アルキル；Ｃ１〜６アルコキシカルボニルＣ１〜６アルキル；Ｃ６〜１０アリールオキシカルボニルＣ１〜６アルキル；Ｃ６〜１０アリールＣ１〜６アルキルオキシカルボニルＣ１〜６アルキル；シアノＣ１〜６アルキル；Ｃ１〜６アルキルチオＣ１〜６アルキル；Ｃ１〜６アルキルスルフィニルＣ１〜６アルキル；Ｃ１〜６アルキルスルホニルＣ１〜６アルキル；Ｃ６〜１０アリールチオＣ１〜６アルキル；Ｃ６〜１０アリールスルフィニルＣ１〜６アルキル；Ｃ６〜１０アリールスルホニルＣ１〜６アルキル；Ｃ６〜１０アリールＣ１〜６アルキルチオＣ１〜６アルキル；Ｃ６〜１０アリールＣ１〜６アルキルスルフィニルＣ１〜６アルキル；Ｃ６〜１０アリールＣ１〜６アルキルスルホニルＣ１〜６アルキル；Ｃ６〜１０ヘテロアリールチオＣ１〜６アルキル；Ｃ６〜１０ヘテロアリールスルフィニルＣ１〜６アルキル；Ｃ６〜１０ヘテロアリールスルホニルＣ１〜６アルキル；アジリジノ；アゼチジノ；ピロリジノ；ピペリジノ；ヘプタメチレンイミノ；ホモピペラジノ；Ｎ−置換ホモピペラジノ（ここでの置換基は、Ｃ１〜６アルキル、Ｃ６〜１０アリール、Ｃ６〜１０アリールＣ１〜６アルキル又はＣ６〜１０へテロアリールであり得る）；ピペラジノ；Ｎ−置換ピペラジノ（ここでの置換基は、Ｃ１〜６アルキル、Ｃ６〜１０アリール、Ｃ６〜１０アリールＣ１〜６アルキル又はＣ６〜１０ヘテロアリールであり得る）；モルホリノ；ホモモルホリノ；チオモルホリノ；アミノＣ１〜６アルキル；Ｃ１〜６アルキルアミノＣ１〜６アルキル；ジ（Ｃ１〜６アルキル）アミノＣ１〜６アルキル（ここでのアルキル基は、同じでも異なっていてもよい）；Ｃ６〜１０アリールアミノＣ１〜６アルキル；Ｃ６〜１０アリールＣ１〜６アルキルアミノＣ１〜６アルキル；ジ（Ｃ６〜１０アリール）アミノＣ１〜６アルキル（ここでのアリール基は、同じでも異なっていてもよい）；ジ（Ｃ６〜１０アリールＣ１〜６アルキル）アミノＣ１〜６アルキル（ここでのアリールアルキル基は、同じでも異なっていてもよい）；Ｒ12Ｃ（Ｏ）Ｃ１〜６アルキル（ここでのＲ12は、アジリジノ、アゼチジノ、ピロリジノ、ピペリジノ、ヘプタメチレンイミノ、ピペラジノ、ホモピペラジノ、モルホリノ、ホモモルホリノ、又はチオモルホリノである）；Ｃ（Ｏ）Ｒ6；Ｃ（Ｏ）��（Ｏ）Ｒ6；Ｃ（Ｓ）Ｒ6；Ｓ（Ｏ）2Ｒ6；及びＣ（ＮＲ11）Ｒ6（ここでのＲ11は、水素、Ｃ１〜６アルキル又はＣ６〜１０アリールであり、Ｒ6は、Ｈ、Ｃ１〜６アルキル、Ｃ６〜１０アリール、Ｃ６〜１０アリールＣ１〜６アルキル又はＣ６〜１０ヘテロアリールである）からなる群から選択された１つ又はそれ以上の置換基で置換されていてもよい。）であり；
Ｒ2は、Ｈと、ＷがＣＨ２のときＲ2がＮＨ2である条件でＮＨ2とからなる群から選択され；
Ｒ3は、Ｈであり；
Ｘは、非置換又はハロゲン；Ｃ１〜６アルキル；Ｃ２〜７アルケニル；Ｃ２〜７アルキニル；Ｃ６〜１０アリール；Ｃ６〜１０ヘテロアリール；ＯＲ；ＮＲ9Ｒ10（ここでのＲ9及びＲ10は、同じでも異なっていてもよく、Ｈ、Ｃ１〜６アルキル、Ｃ３〜８シクロアルキル、Ｃ６〜１０アリール、又はＣ６〜１０アリールＣ１〜６アルキルである）；ＮＲＯＲ；Ｃ（Ｏ）ＮＲ9Ｒ10；Ｃ（Ｏ）ＯＲ；Ｃ（Ｏ）Ｒ；ＮＲＣ（Ｏ）ＮＲ9Ｒ10；ＮＲＣ（Ｏ）Ｒ；ＮＲＣ（Ｏ）ＯＲ；ＣＲ（ＯＨ）Ｒ；ＯＣ（Ｏ）Ｒ；Ｓ（Ｏ）nＲ（ここでのＲはＨ以外であり、ｎは０、１又は２である）；ＮＲＳ（Ｏ）mＲ（ここでのＲは、Ｈ以外であり、ｍは１又は２である）；Ｓ（Ｏ）2ＮＲ9Ｒ10；ＮＯ2；ＣＮ；ＣＦ3；ＯＣＦ3からなる群から選択された１つ又はそれ以上の置換基Ｙで置換されたＣ６〜１０アリール環又はＣ６〜１０ヘテロアリール環であり；
Ｒは、Ｈ、Ｃ１〜６アルキル、Ｃ３〜８シクロアルキル、Ｃ６〜１０アリール又はＣ６〜１０アリールＣ１〜６アルキルである］
で示される新規化合物又はその医薬的に許容される塩もしくは溶媒和物が提供される。
【誤訳訂正３】
【訂正対象書類名】明細書
【訂正対象項目名】００１５
【訂正方法】変更
【訂正の内容】
【００１５】
本発明に含まれる好ましい化合物は、以下の式ＩＡ−ＩＣ
【化６】
2002541245.tif 000006
（上式中、ａ及びｂは、０又は１であり、ａ＋ｂ＝１であり；ｍは０〜２であり；ａが１のときＲ2がＮＨ2である条件で、Ｒ2はＨ又はＮＨ2であり；Ｒ13は、０、１又は２つのヒドロキシル基で置換されたフェニル又はシクロヘキシルであり；Ｙは、以前に定義したＸの任意の置換基である。）
【化７】
2002541245.tif 000007
（上式中、ａ及びｂは、０又は１であり、ａ＋ｂ＝１であり；ｍは０〜２であり；ｎは０〜３であり；Ｒ2は、Ｈ又はＮＨ2であり；Ｙは、以前に定義したＸの任意の置換基であり；そして、Ｑは、１つ又はそれ以上のＯＨで所望により置換されたＣ２〜１０のアルキルである。）
及びその医薬的に許容されるエステル、アミド、塩又は溶媒和物により、より具体的に定義される。
【誤訳訂正４】
【訂正対象書類名】明細書
【訂正対象項目名】００６５
【訂正方法】変更
【訂正の内容】
【００６５】
【表１】
2002541245.tif 000008